(57)【要約】【課題】各オペレータに対応した視界性及び遮光性を確保することができる建設機械のブラインド装置を提供する。【解決手段】キャブ６の側面窓及び／又は後面窓の外面側に取り付けられる建設機械１のブラインド装置２０において、前記キャブ６の側面窓及び／又は後面窓の両端縁部に対向して取り付けられるキャブ取付用部材２３と、前記キャブ取付用部材２３の間に上下方向に離間すると共に、所定角度に傾斜して配設される平板状の複数の日よけ板２１と、前記各日よけ板２１の長手方向両端に固着した日よけ板支持用部材２２と、前記複数の日よけ板支持用部材２２を、前記キャブ６の側面窓及び／又は後面窓の外面方向へ傾動可能に前記キャブ取付用部材２３に締着する締着手段とを備える。【選択図】  図２
2010083360.tif 000002
【特許請求の範囲】
【請求項１】
キャブの側面窓及び／又は後面窓の外面側に取り付けられる建設機械のブラインド装置において、
前記キャブの側面窓及び／又は後面窓の両端縁部に対向して取り付けられるキャブ取付用部材と、
前記キャブ取付用部材の間に上下方向に離間すると共に、所定角度に傾斜して配設される平板状の複数の日よけ板と、
前記各日よけ板の長手方向両端に固着した日よけ板支持用部材と、
前記複数の日よけ板支持用部材を、前記キャブの側面窓及び／又は後面窓の外面方向へ傾動可能に前記キャブ取付用部材に締着する締着手段とを備えた
ことを特徴とする建設機械のブラインド装置。
【請求項２】
請求項１に記載の建設機械のブラインド装置において、
前記締着手段は、前記キャブ取付部材に設けられ、ボルト孔とナットとを有するブラケットと、前記日よけ板支持部材に設けた円弧孔と、前記円弧孔に挿入され、前記ブラケットのボルト孔を通じて前記ナットにねじ込まれるボルトとを備えたことを特徴とする建設機械のブラインド装置。
【請求項３】
請求項１または２に記載の建設機械のブラインド装置において、
前記日よけ板は、その端部が前記日よけ板支持部材に短手方向に移動可能に締着されていることを特徴とする建設機械のブラインド装置。
【請求項４】
請求項１または２に記載の建設機械のブラインド装置において、
前記日よけ板は、その端部が前記日よけ板支持部材に締着された第１の日よけ板と、前記第１の日よけ板の短手方向に移動可能に重ねて設けた第２の日よけ板とを備えたことを特徴とする建設機械のブラインド装置。
【請求項５】
請求項３に記載の建設機械のブラインド装置において
前記日よけ板は、防振部材を介して前記日よけ板支持部材に締着されていることを特徴とする建設機械のブラインド装置。
【請求項６】
請求項４に記載の建設機械のブラインド装置において
前記日よけ板は、前記第１の日よけ板の上に前記第２の日よけ板が載置され、防振部材を介して前記日よけ板支持部材に締着されていることを特徴とする建設機械のブラインド装置。
【請求項７】
請求項１乃至６のいずれか１項に記載の建設機械のブラインド装置において
前記キャブ取付用部材を、キャブ側面視前傾の形態に配置したことを特徴とする建設機械のブラインド装置。
【発明の詳細な説明】
【技術分野】
【０００１】
本発明は、油圧ショベル等の建設機械のキャブ窓ガラスに設ける建設機械のブラインド装置に関する。
【背景技術】
【０００２】
一般に、油圧ショベル等の建設機械においては、オペレータの視界を確保すると共にキャブ内への日光の入射を遮るために、キャブの少なくとも左右の側面部の窓ガラスの外面側に、上下方向に所要間隔をもって離間した複数の日よけ板を有するブラインドを設けたものがある（例えば、特許文献１参照。）。
【０００３】
【特許文献１】実開平４−１３８４５８号公報
【発明の開示】
【発明が解決しようとする課題】
【０００４】
油圧ショベル等の建設機械における大型建設機械においては、その稼働効率を向上させるために、建設機械が非稼働の場合にも直ちに稼働再開できるようにオペレータがキャブ内に滞機する方式が採られている。
【０００５】
このため、大型の建設機械におけるキャブは、これより小さい掘削容量の建設機械のキャブよりも大きな空間を有している。これに伴い、キャブの窓ガラスも大きくなっているため、夏期及び冬期でのキャブ内への日光の入射量、入射角が変動する。
【０００６】
また、キャブ内で建設機械を操作するオペレータは、身長の大小があるため、キャブ内の運転席に着座したとき、各オペレータの視界位置が変化する。
【０００７】
さらに、建設機械の機種毎にキャブの設置高さが異なるために、機種毎に各オペレータの視界位置が変化する。このように視界位置が変化するとオペレータの視認可能な部位が変化する。
【０００８】
一方、オペレータの視認性が要求される部位は、例えば掘削時に組み合わされるダンプトラックの機種や、稼働場所によって異なってくる。また、日光の入射に対する眩しさを感じる度合いは、各オペレータによって異なる。
【０００９】
このため、上述した従来技術のブラインド装置においては、各オペレータに対する視界性確保、及びキャブ内への日光の入射量、入射角の変動に十分対応せず、オペレータの作業効率を著しく低下させていた。
【００１０】
本発明は、上述の事項に基づいてなされたもので、その目的は、各オペレータに対応した視界性及び遮光性を確保することができる建設機械のブラインド装置を提供することにある。
【課題を解決するための手段】
【００１１】
（１）上記目的を達成するために、本発明は、キャブの側面窓及び／又は後面窓の外面側に取り付けられる建設機械のブラインド装置において、前記キャブの側面窓及び／又は後面窓の両端縁部に対向して取り付けられるキャブ取付用部材と、前記キャブ取付用部材の間に上下方向に離間すると共に、所定角度に傾斜して配設される平板状の複数の日よけ板と、前記各日よけ板の長手方向両端に固着した日よけ板支持用部材と、前記複数の日よけ板支持用部材を、前記キャブの側面窓及び／又は後面窓の外面方向へ傾動可能に前記キャブ取付用部材に締着する締着手段とを備えたものとする。
【００１２】
（２）上記（１）において、好ましくは、前記締着手段は、前記キャブ取付部材に設けられ、ボルト孔とナットとを有するブラケットと、前記日よけ板支持部材に設けた円弧孔と、前記円弧孔に挿入され、前記ブラケットのボルト孔を通じて前記ナットにねじ込まれるボルトとを備えたものとする。
【００１３】
（３）上記（１）または（２）において、好ましくは、前記日よけ板は、その端部が前記日よけ板支持部材に短手方向に移動可能に締着されているものとする。
【００１４】
（４）上記（１）または（２）において、好ましくは、前記日よけ板は、その端部が前記日よけ板支持部材に締着された第１の日よけ板と、前記第１の日よけ板の短手方向に移動可能に重ねて設けた第２の日よけ板とを備えたものとする。
【００１５】
（５）上記（３）において、好ましくは、前記日よけ板は、防振部材を介して前記日よけ板支持部材に締着されているものとする。
【００１６】
（６）上記（４）において、好ましくは、前記日よけ板は、前記第１の日よけ板の上に前記第２の日よけ板が載置され、防振部材を介して前記日よけ板支持部材に締着されているものとする。
【００１７】
（７）上記（１）乃至（６）のいずれかにおいて、好ましくは、前記キャブ取付用部材を、キャブ側面視前傾の形態に配置したものとする。
【発明の効果】
【００１８】
本発明の建設機械のブラインド装置によれば、各日よけ板の傾斜角度等を個別に且つ容易に調整することができるので、オペレータの側方及び後方の視界を確保できると共に、キャブ内への日光の入射を遮ることができる。この結果、各オペレータに対応した遮光性及び視界性の改善が図れ、作業効率を向上することができる。
【発明を実施するための最良の形態】
【００１９】
以下に、本発明の建設機械のブラインド装置の実施の形態を図面を用いて説明する。  
図１は、本発明の建設機械のブラインド装置が適用される大型油圧ショベルの全体構造を表す側面図である。この図１において、１は建設機械としての大型の油圧ショベルを示している。２はその走行体、３は走行体の左右両側に装設した無限軌道式走行装置、４は走行体２の上部に旋回可能に搭載された旋回体、５はこの旋回体４上の前方部に上下方向に回動可能に取り付けられた多関節型の作業装置、６は旋回体４上の左側前方部に配設されたキャブ、７はこのキャブ６の下方に配設され制御盤（図示せず）等を収納するキャブベッド、８は旋回体４上に配設され各種機器を収納する機械室、９は旋回体４上に設けられ操作者及び作業者が通行可能な通路、１０は旋回体４上の後方部に取り付けられたカウンタウエイトである。
【００２０】
上述したキャブ６は、前窓を有する前面部１１、後窓を有する後面部１２、左右側面の窓を有する左右の側面部１３、及びこれらの上面側を覆う天面部１４からボックス状に形成されたキャブボックス１５と、キャブボックス１５内に設けられた運転席（図示せず）と、運転席の周囲に設けられた操作装置等（図示せず）によって構成されている。
【００２１】
次に、上述したキャブ６に設けられた本発明の建設機械のブラインド装置の第１の実施の形態を図２乃至図６を用いて説明する。図２は、本発明の建設機械のブラインド装置の第１の実施の形態を備えたキャブの側面図、図３は、図２のIII−III矢視から建設機械のブラインド装置を見た断面図、図４は、本発明の建設機械のブラインド装置の第１の実施の形態を構成する日よけ板支持用ブラケットの正面図、図５は、本発明の建設機械のブラインド装置の第１の実施の形態を構成する日よけ板支持用ブラケットの側面図、図６は、本発明の建設機械のブラインド装置の第１の実施の形態を構成するキャブ取付用ブラケットの正面図である。
【００２２】
この図２において、ブラインド装置２０は、キャブ６の左側面部１３の側面窓１６の外面側に設けられていて、側面窓１６からキャブ６内に入射する日光を遮るものである。
【００２３】
ブラインド装置２０は、図２及び図３に示すように、上下方向に所定間隔をもって離間すると共に、所定角度で傾斜した平板状の日よけ板２１，２１，・・・と、この各日よけ板２１の両端に締着され、日よけ板２１の傾斜角度を変更可能とする日よけ板支持部材としての日よけ板支持用ブラケット２２，２２と、各日よけ板２１が所定の傾斜角度になる取付角度で日よけ板支持用ブラケット２２に締着され、この各日よけ板２１を側面窓１６の外面側に配置するように、ボルト等を介してキャブ６の側面部１３の外面側に固定されたキャブ取付用部材としての断面Ｌ字状のキャブ取付用ブラケット２３，２３とから大略構成されている。
【００２４】
日よけ板支持用ブラケット２２は、図４及び図５に示すように、略長矩形の平板状の鋼板からなる取付部材２２ａと、この取付部材２２ａの表面部に垂直に立設する日よけ板支持部材２２ｂとから構成されている。取付部材２２ａの長手方向の両端部近傍であって、取付部材２２ａの表面部の中心点Ｃを中心とした扇型における、所定の中心角βの弧に相当する部分には、円弧孔２２ｃ，２２ｃが形成されている。なお、本実施の形態における円弧孔２２ｃは、中心角βが例えば２０°の弧に相当する部分に形成されている。
【００２５】
日よけ板支持部材２２ｂは、略長矩形の平板状の鋼板からなり、その長辺の一方側の縁が、取付部材２２ａの短手方向の軸線ｌに対して所定の角度αとなる向きに配置されて取付部材２２ａの表面部に固着されている。日よけ板支持部材２２ｂの長辺の他方側である先端部近傍には、日よけ板取付用孔２２ｄ，２２ｄが設けられている。この日よけ板取付用孔２２ｄの中心点とその中心点を合わせたナット２２ｅが、日よけ板支持部材２２ｂの下面側にプロジェクション溶接されている。なお、本実施の形態においてαは、例えば４５°で形成されている。
【００２６】
キャブ取付用ブラケット２３は、図２、図３、及び図６に示すように、各日よけ板２１が日よけ板取付部材２２を介して取り付けられる断面Ｌ字状のブラケット本体部２３ａと、このブラケット本体部２３ａの両端部（図６の上下方向の端部）に固着され、その取付孔にボルトを嵌挿して締め付けることによってキャブ６の側面部１３にブラケット装置２０を固着させるブラケット脚部２３ｂと、ブラケット本体部２３ａの断面Ｌ字の長辺側に取り付けられ、日よけ板取付部材２２とブラケット本体部２３ａの接続部を覆う断面Ｌ字状のブラケットカバー２７とから大略構成されている。図６におけるキャブ取付用ブラケット４は、ブラケットカバー２７を外した状態を示している。
【００２７】
ブラケット本体部２３ａの断面Ｌ字の長辺側には、ブラケットとしての断面コ字状のブラケット取付部材２４，２４，・・・が例えば溶接によって固着されている。ブラケット取付部材２４には、ブラケット取付用孔２４ａ，２４ａが設けられていて、このブラケット取付用孔２４ａの中心点とその中心点を合わせたナット２４ｂが、ブラケット取付部材２４の裏面側にプロジェクション溶接されている。
【００２８】
なお、上述した、キャブ取付部材としてのキャブ取付用ブラケット２３に設けられ、ボルト孔としてのブラケット取付用孔２４ａとナット２４ｂとを有するブラケットとしてのブラケット取付部材２４と、日よけ板支持部材としての日よけ板支持用ブラケット２２に設けた円弧孔２２ｃと、円弧孔２２ｃに挿入され、ブラケット取付用孔２４ａを通じてナット２４ｂにねじ込まれるボルト２８とにより、日よけ板支持用ブラケット２２をキャブ６の側面窓１６の外面方向へ傾動可能にキャブ取付用ブラケット２３に締着する締着手段を構成する。
【００２９】
また、キャブ取付用ブラケット２３は、図２に示すように、側面窓１６の前端部の傾斜に合わせてキャブ側面視前傾の形態に形成されてキャブ側面部１３に取り付けられているが、直立した形態に形成することも可能である。
【００３０】
次に、上述した本発明の建設機械のブラインド装置の第１の実施の形態における日よけ板２１と、日よけ板支持用ブラケット２２と、ブラケット取付部材２４の締結方法を図３及び図７を用いて説明する。図７は、本発明の建設機械のブラインド装置の第１の実施の形態の各部材の組み立て状態を説明する斜視図である。
【００３１】
まず、図３及び図７において、日よけ板２１と日よけ板支持用ブラケット２２との締結は、日よけ板２１の両端部近傍に設けられた取付孔２１ａ，２１ａが、防振部材としての防振ラバー２６を介して日よけ板支持部材２２ｂの日よけ板取付用孔２２ｄ，２２ｄと連通するように、日よけ板２１を防振ラバー２６と日よけ板支持部材２２ｂの上に載置する。
【００３２】
次に、防振ラバー２６、プレート２５をそれぞれの取付孔（図示せず）が上記取付孔２１ａ，２２ｄ等と連通するように日よけ板２１の上に載置し、ボルト２８，２８をこれらの取付孔に嵌挿する。ボルト２８，２８をナット２２ｅ，２２ｅに締め付けることによって、日よけ板２１は、日よけ板支持用ブラケット２２に締結される。なお、図７は、日よけ板２１の右端を示しているが、日よけ板２１の左端についても同様に構成されている。
【００３３】
日よけ板支持用ブラケット２２とブラケット取付部材２４との締結は、取付部材２２ａを円弧孔２２ｃ，２２ｃが、ブラケット取付部材２４のブラケット取付孔２４ａ，２４ａと連通するように配置し、ボルト２８，２８をこれらの取付孔に嵌挿する。ボルト２８，２８をナット２４ｂ，２４ｂに締め付けることによって、日よけ板支持用ブラケット２２は、ブラケット取付部材２４に締結される。
【００３４】
次に、上述した本発明の建設機械のブラインド装置の第１の実施の形態における日よけ板２１の傾斜角度の調整方法を図３、図４、及び図７を用いて説明する。  
まず、図３及び図７において、ブラケット取付部材２４と日よけ板支持用ブラケット２２を締結しているボルト２８，２８とナット２２ｅ，２２ｅの締め付けを緩める。この結果、日よけ板支持用ブラケット２２は、ブラケット取付部材２４に、取付部材２２ａの円弧孔２２ｃ，２２ｃとブラケット取付部材２４のブラケット取付用孔２４ａ，２４ａとを連通するボルト２８，２８によって軸支されることになる。
【００３５】
次に、取付部材２２ａの上部を手前側（図３において右側）に引き、取付部材２２ａの下部を奥側（図３において左側）に押すことにより、日よけ板支持用ブラケット２２が傾くため、日よけ板２１の傾斜角度を増大させることができる。ここで、上側のボルト２８は、取付部材２２ａの上側の円弧孔２２ｃの中央から奥側（図３において左側）に移動し、下側のボルト２８は、取付部材２２ａの下側の円弧孔２２ｃの中央から手前側（図３において右側）に移動する。日よけ板２１の傾斜角度を減少させるためには、上述したボルト２８と円弧孔２２ｃとの関係と逆方向にボルト２８を移動させればよい。
【００３６】
所望する傾斜角度において、上下のボルト２８，２８をナット２２ｅ，２２ｅに絞め付けることで、該当する日よけ板２１の傾斜角度の調整が終了する。
【００３７】
図４に示すように、本実施の形態においては、軸線ｌに対する日よけ板支持部材２２ｂの取付角度のαが４５°、円弧孔２２ｃを形成する扇型の中心角のβが２０°であることから、日よけ板支持用ブラケット２２の傾斜角度で定まる日よけ板２の傾斜角度は、最大５５°から最少３５°の間で任意な角度に設定することができる。
【００３８】
上述した本発明の建設機械のブラインド装置の第１の実施の形態によれば、各日よけ板２１の傾斜角度を個別に且つ容易に調整することができるので、オペレータの側方及び後方の視界を確保できると共に、キャブ６内への日光の入射を遮ることができる。この結果、各オペレータに対応した遮光性及び視界性の改善が図れ、作業効率を向上することができる。また、キャブ内の温度上昇が抑えられ、キャブ内の環境を改善することができる。さらに、ブラインド装置を共通部品化することが可能となるため、建設機械の機種毎に形態の異なるブラインド装置を製作する必要がなくなる。この結果、生産性を向上することができる。
【００３９】
また、本発明の建設機械のブラインド装置の第１の実施の形態によれば、ボルト２８が嵌挿される取付孔の裏面にナットをプロジェクション溶接したので、ボルト２８の締め付け及び締め付け解除作業が容易且つ確実に行える。この結果、日よけ板２１の傾斜角度の調整が個別に容易且つ確実に実施できる。
【００４０】
また、本発明の建設機械のブラインド装置の第１の実施の形態によれば、日よけ板２１と日よけ板支持用ブラケット２２の締結において、防振部材としての防振ラバー２６とプレート２５を介在させたことにより、従来の傾斜角度固定のブラインドと同等の耐振性や強度等を確保できる。この結果、日よけ板２１の傾斜角度を調整可能としても、ブラインド装置２０の機能の信頼性が確保できる。
【００４１】
次に、本発明の建設機械のブラインド装置の第２の実施の形態を図８及び図９を用いて説明する。図８は、本発明の建設機械のブラインド装置の第２の実施の形態を示す断面図、図９は、本発明の建設機械のブラインド装置の第２の実施の形態の各部材の組み立て状態を説明する斜視図である。なお、図８、図９において、図１乃至図７に示す符号と同符号のものは同一部分又は相当する部分であるので、その部分の説明を省略する。
【００４２】
本実施の形態においては、図９に示すように、第２の日よけ板２１ｂの両端部に取付孔２１ａがそれぞれ３個設けられている。第２の日よけ板２１ｂと日よけ板支持用ブラケット２２との締結は、３個の取付孔２１ａのうち真中の取付孔２１ａといずれか端部の取付孔２１ａが、防振ラバー２６を介して日よけ板支持部材２２ｂの日よけ板取付用孔２２ｄ，２２ｄと連通するように、第２の日よけ板２１ｂを防振ラバー２６と日よけ板支持部材２２ｂの上に載置して行われる。このため、第２の日よけ板２１ｂと日よけ板支持用ブラケット２２との締結は、図８の実線で示す第２の日よけ板２１ｂの庇部を伸長させた場合と、図８の破線で示す第２の日よけ板２１ｂの庇部を収縮させた場合のいずれかの選択が可能になる。つまり、第２の日よけ板２１ｂは、その両端部において、日よけ板支持用ブラケット２２，２２に短手方向に移動可能に締着されている。
【００４３】
本発明の建設機械のブラインド装置の第２の実施の形態によれば、上述した第１の実施の形態と同様な効果を得ることができるとともに、第２の日よけ板２１ｂの庇部を個別に伸長又は収縮させることができる。この結果、例えば、第２の日よけ板２１ｂの傾斜角度を小さくして視界性を向上させた場合であっても、当該部分の庇部を伸長させることにより遮光性の減少を抑制することができる。
【００４４】
次に、本発明の建設機械のブラインド装置の第３の実施の形態を図１０及び図１１を用いて説明する。図１０は、本発明の建設機械のブラインド装置の第３の実施の形態を示す断面図、図１１は、本発明の建設機械のブラインド装置の第３の実施の形態の各部材の組み立て状態を説明する斜視図である。なお、以下の説明において、上述した本発明の第１の実施の形態と同じ構成要素には同一の符合を付し、その部分の説明を省略する。
【００４５】
本実施の形態においては、図１０に示すように、第１の実施の形態における日よけ板２１（以下、第１の日よけ板２１という）と、第２の実施の形態における第２の日よけ板２１ｂとをその短手方向において重なるように配置している。第１の日よけ板２１と、第２の日よけ板２１ｂと、日よけ板支持用ブラケット２２との締結は、第１の日よけ板２１の両端部近傍に設けられた取付孔２１ａ，２１ａが、防振ラバー２６介して日よけ板支持部材２２ｂの日よけ板取付用孔２２ｄ，２２ｄと連通するように、第１の日よけ板２１を防振ラバー２６と日よけ板支持部材２２ｂの上に載置する。
【００４６】
次に、第２の日よけ板２１ｂの３個の取付孔２１ａのうち真中の取付孔２１ａといずれか端部の取付孔２１ａが、第１の日よけ板２１の取付孔２１ａ，２１ａと連通するように、第２の日よけ板２１ｂを第１の日よけ板２１の上に載置する。
【００４７】
次に、防振ラバー２６、プレート２５をそれぞれの取付孔（図示せず）が上記取付孔２１ａ，２２ｄ等と連通するように第２の日よけ板２１ｂの上に載置し、ボルト２８，２８をこれらの取付孔に嵌挿する。ボルト２８，２８をナット２２ｅ，２２ｅに締め付けることによって、第１の日よけ板２１及び第２の日よけ板２１ｂは、日よけ板支持用ブラケット２２に締結される。
【００４８】
なお、第２の日よけ板２１ｂと日よけ板支持用ブラケット２２との締結は、図１０の実線で示す第２の日よけ板２１ｂの庇部を伸長させた場合と、図１０の破線で示す第２の日よけ板２１ｂの庇部を収縮させた場合のいずれかの選択が可能になる。
【００４９】
本発明の建設機械のブラインド装置の第３の実施の形態によれば、上述した第１の実施の形態及び第２の実施の形態と同様な効果を得ることができるとともに、第１の日よけ板２１と第２の日よけ板２１ｂがその短手方向で重なっているため、日よけ板の庇部が長くなり且つ高強度な日よけ板が形成される。この結果、ブラインド装置の耐振性や強度が向上し、ブラインド装置の機能の信頼性を向上させることができる。
【００５０】
なお、本発明の実施の形態においては、建設機械１のキャブ６として大型油圧ショベルのキャブ６を例に説明したが、これに限られるものではなく、例えば油圧クレーン等の他の建設機械のキャブにも適用できる。
【図面の簡単な説明】
【００５１】
【図１】本発明の建設機械のブラインド装置が適用される大型油圧ショベルの全体構造を表す側面図である。
【図２】本発明の建設機械のブラインド装置の第１の実施の形態を備えたキャブの側面図である。
【図３】図２のIII−III矢視から建設機械のブラインド装置を見た断面図である。
【図４】本発明の建設機械のブラインド装置の第１の実施の形態を構成する日よけ板支持用ブラケットの正面図である。
【図５】本発明の建設機械のブラインド装置の第１の実施の形態を構成する日よけ板支持用ブラケットの側面図である。
【図６】本発明の建設機械のブラインド装置の第１の実施の形態を構成するキャブ取付用ブラケットの正面図である。
【図７】本発明の建設機械のブラインド装置の第１の実施の形態における各部材の組み立て状態を説明する斜視図である。
【図８】本発明の建設機械のブラインド装置の第２の実施の形態を示す断面図である。
【図９】本発明の建設機械のブラインド装置の第２の実施の形態における各部材の組み立て状態を説明する斜視図である。
【図１０】本発明の建設機械のブラインド装置の第３の実施の形態を示す断面図である。
【図１１】本発明の建設機械のブラインド装置の第３の実施の形態における各部材の組み立て状態を説明する斜視図である。
【符号の説明】
【００５２】
１            建設機械
６            キャブ
２０          ブラインド装置
２１          日よけ板（第１の日よけ板）
２１ａ        取付孔
２１ｂ        第２の日よけ板
２２          日よけ板支持用ブラケット
２２ａ        取付部材
２２ｂ        日よけ板支持部材
２２ｃ        円弧孔
２２ｄ        日よけ板取付用孔
２２ｅ        ナット
２３          キャブ取付用ブラケット
２４          ブラケット取付部材
２４ａ        ブラケット取付用孔
２４ｂ        ナット
２６          防振ラバー
２８          ボルト
【図１】
2010083360.tif 000003
【図２】
2010083360.tif 000004
【図３】
2010083360.tif 000005
【図４】
2010083360.tif 000006
【図５】
2010083360.tif 000007
【図６】
2010083360.tif 000008
【図７】
2010083360.tif 000009
【図８】
2010083360.tif 000010
【図９】
2010083360.tif 000011
【図１０】
2010083360.tif 000012
【図１１】
2010083360.tif 000013